(57)【要約】      （修正有）【課題】市販のストローが使え、さらにストローを収納したままフタを締めて持ち運びが可能な飲料ボトルを提供する。【解決手段】上側に開口４０を有する飲料を入れるボトル４と、開口４０に取り付けられ、ストローを挿通する開口３１を２つ以上有する中栓３と、中栓３との間に少なくともストローを挟持するスペースを備えた上蓋１とを、有する。中栓３は、リング形状の外縁３０を有する。外縁３０より内側は一段低くなっており、外縁３０よりも幅広のリング形状のリング部３３、リング部３３のリング内に橋渡しされたストッパー部３２を有する。ストッパー部３２とリング部３３との間は穴になっていて開口３１となっている。中栓３は、ボトル４の開口部４０に装着可能であって、さらに、中栓３の上には注ぎ口２を装着できるようになっている。【選択図】図１
0003201645.tif 000002
【実用新案登録請求の範囲】
【請求項１】
上側に開口を有する飲料を入れるボトル部と、前記開口に取り付けられ、ストローを挿通する開口を２つ以上有する中栓と、前記中栓との間に少なくともストローを挟持するスペースを備えた上蓋と、を、有することを特徴とする飲料ボトル。
【請求項２】
前記中蓋は、前記ボトル部の前記開口と略同じ大きさのリング形状の枠体であるリング部と、前記リング部の内側の空間を、複数区画に区切るように橋渡ししたストッパー部と、を有することを特徴とする請求項１に記載の飲料ボトル。
【考案の詳細な説明】
【技術分野】
【０００１】
この考案は、市販のストローが使え、さらにストローを収納したままフタを締めて持ち運びが可能な飲料ボトルに関する。
【背景技術】
【０００２】
従来より、飲料を携帯するための飲料ボトルが使用されている。それらの飲料ボトルは、コップが付属していたり、注ぎ口に直接口をつけて飲めるようになっており、どこでも、気軽に飲料ボトルの飲料を飲めるようになっている。水を飲む際に、コップが付属しているものは、片手でコップを保持し、もう片方の手でボトルを持って、コップに飲料を注ぎ入れる必要があるので、両手が塞がってしまうという問題があった。また、蓋がコップになるタイプの水筒は、飲み口が外に出ているため、汚れがコップの飲み口に付着しやすく不衛生であるという問題があった。
【０００３】
注ぎ口に直接口をつけ飲めるタイプの飲料ボトルは、片手で飲料ボトルを持ち、そのまま飲めるので両手が塞がらず便利であるが、飲料ボトルから直飲みすると、唾液が飲料の中に落ち、雑菌飲料ボトル内に侵入しやすいという問題があった。また、飲料ボトルは、繰り返し使うものであり、注ぎ口に直接口をつけて飲むタイプのものは、注ぎ口の掃除が大変であるとともに不衛生になりがちである。女性の場合、口紅を使用しているので飲料ボトルに直接口をつけると口紅が移ってしまうという問題もある。そこで、注ぎ口から直接飲むタイプの飲料ボトルに、市販の使い捨てストローを差して、直接口をつけずに、飲料を飲むという方法がある。ストローを使って飲む方法は、両手が塞がらず、片手で気軽に飲料が飲めること、机にボトルを置いたまま飲むこともできること、飲む際にボトルを傾けなくて良いので、こぼれる心配がないこと等さまざまなメリットがある。しかし、一般に流通している飲料ボトルは、市販のストローを挿すことはできるが、挿したまま蓋をすることはできないので、ストローと飲料ボトルを別々に運搬する必要があり、面倒であり、しかも、運搬中にストローが汚染される懸念があった。
【０００４】
特許文献１の飲料ボトルは、水筒の蓋の内側にコップが収納できるようになっており、飲み口が汚染されにくく、また、水筒横のフックにコップを固定できるので、飲んでいる途中に、片手を開放することができるが、飲んでいる最中は、片手で水筒を、もう片手でコップを持つ必要があるので両手が塞がってしまう。
【特許文献１】特開２０１５−１０７２９６号公報
【考案の概要】
【考案が解決しようとする課題】
【０００５】
そこで、本考案は、上記事情に鑑み、市販の使い捨てストローを挿して使用でき、使い終わったら、ストローを挿したまま蓋をして、そのまま持ち運ぶことができ、衛生的で経済的な、飲料ボトルを提供する。本考案の飲料ボトルは、複数本のストローを挿したまま使っても良いので、複数人数で飲料ボトルの飲料をシェアする際にも便利である。また、本考案の飲料ボトルは、ストローを使わず、注ぎ口から、じかに飲むこともできる。飲料ボトルの中に冷たい飲料を充填し、氷を入れた場合、広い注ぎ口から直接飲むと、大きな氷が一緒に口に流れ込んできて飲みにくいことがあるが。本考案の飲料ボトルは、氷入りの飲料をじか飲みしても、氷が口に流れ込んでこないので、快適に飲料を飲むことができる。
【課題を解決するための手段】
【０００６】
本考案の飲料ボトルは、上側に開口を有する飲料を入れるボトル部と、前記開口に取り付けられ、ストローを挿通する開口を２つ以上有する中栓と、前記中栓との間に少なくともストローを挟持するスペースを備えた上蓋と、を、有することを特徴とする。
【０００７】
この考案によれば、市販のストローを飲料ボトルに挿して飲料を飲み、飲み終わったあとは、ストローを挿したまま蓋をして飲料ボトルを持ち運べるので、ストローと飲料ボトルを別々に運搬する必要がなく、煩わしくない。ストローを抜いて運搬する際に、床に落としてしまったり、ストローを汚してしまう恐れがないので、衛生的である。
【０００８】
また、この考案の飲料ボトルの中蓋は、前記ボトル部の前記開口と略同じ大きさのリング形状の枠体であるリング部と、前記リング部の内側の空間を、複数区画に区切るように橋渡ししたストッパー部と、を有することを特徴とする。
【０００９】
この考案によれば、市販のストローを飲料ボトルに挿して飲料を飲み、飲み終わったあとは、ストローを挿したまま蓋をして飲料ボトルを持ち運べるので、ストローと飲料ボトルを別々に運搬する必要がなく、煩わしくない。ストローを抜いて運搬する際に、床に落としてしまったり、ストローを汚してしまう恐れがないので、衛生的である。また、飲料ボトルの深さよりも短いストローを使う場合でも、ストローを曲げて、ストッパー部に引っ掛けておくことができるので、ボトル内にストローが沈み込んでしまうことがない。
【図面の簡単な説明】
【００１０】
【図１】この考案の実施形態１にかかる飲料ボトル１００の上蓋１、注ぎ口２、中栓３及びボトル４の斜視図である。
【図２】図１に示した飲料ボトル１００の中栓３の平面図である。
【図３】図１に示した飲料ボトル１００の上蓋を外し、ストローＳを挿した状態での斜視図である。
【図４】図２に示した飲料ボトル１００のＡ−Ａ断面図である。
【図５】図１に示した飲料ボトル１００を使用している状態を示す参考図であって（ａ）は、ストローを挿して使用している状態、（ｂ）は、直接注ぎ口に口をつけて飲んでいる状態を示す参考図である。
【図６】この考案の変形例１にかかる中栓５の平面図である。
【考案を実施するための形態】
【００１１】
以下、本考案を実施するための形態について、詳細に説明する。
【００１２】
（実施の形態１）
図１は、この考案の実施形態１にかかる飲料ボトル１００の上蓋１、注ぎ口２、中栓３及びボトル４の斜視図である。図２は、図１に示した飲料ボトル１００の上蓋を外し、ストローＳを挿した状態での斜視図である。図３は、図１に示した飲料ボトル１００の中栓３の平面図である。図４は、図２に示した飲料ボトル１００のＡ−Ａ断面図である。
【００１３】
図１に示すように、本考案の実施の形態１の飲料ボトル１００は、飲料を充填するボトル４，ボトル４の開口部に取り付ける注ぎ口２，中栓３及び上蓋１を主に有する。
【００１４】
ボトル４は、中空の円柱形状であって、上側に開口４１を有し、内部に飲料を充填させることができる、一般的な飲料ボトルである。保冷・保温機能を有するステンレスボトルのほか、安価なプラスチック製のボトルとしても良い。飲料ボトル１００は、ストローを挿して使用するほか、上側の開口４１に注ぎ口２を装着して直接注ぎ口に口をつけて飲用する使用方法もあるので、片手で持ちやすい直径と容量のボトル４とすると良い。また、実施の形態１では、円柱形状のボトル４としてあるが、ボトル４の形状は円柱形状に限定されず、真ん中がくびれた瓢箪形状として手で握りやすい形状として良いし、その他、好みの形状としても良い。
【００１５】
ボトル４の上側に設けられた開口４０は、ボトル４の直径と略同じか少し小さい直径の円形状の開口であって、外側には、ネジきりが設けられており、中栓３及び注ぎ口２が嵌められるようになっている。
【００１６】
中栓３は、リング形状の外縁３０を有する。外縁３０より内側は一段低くなっており、外縁３０よりも幅広のリング形状のリング部３３、リング部３３のリング内に橋渡しされたストッパー部３２を有する。ストッパー部３２とリング部３３との間は穴になっていて開口３１となっている。中栓３は、ボトル４の開口部４０に装着可能であって、さらに、中栓３の上には注ぎ口２を装着できるようになっている。実施の形態１では、中栓３の素材はシリコン素材となっている。上蓋１の内側には凸部が設けられており、上蓋１を閉めたとき、中栓３の凹みの形状と合って飲料が漏れ出すのを防ぐ構造となっている。中栓３は柔らく弾力性を有するシリコン素材であり、中栓３の開口３１にストローを挿したまま、上蓋１を閉めても、中栓３のシリコン素材がつぶれてストローを挟持するスペースを生じるので、ストローを飲料ボトル１００内に固定したまま密閉して一緒に運搬することができる。
【００１７】
注ぎ口２は、短い円筒形状であって、上面及び下面は円形リング形状であって、下面のリングの直径は、上面のリングの直径よりも若干大きい。横から見ると、上にいくほど、すこし、すぼまった形状となっている。注ぎ口２の内側には、中栓３を取り付けられるようになっている。取り付け方法は、注ぎ口２の内側に、中栓３の外縁部３１が嵌る溝を設けても良いし、ねじきりを設けて取り付けられる構造としても良いし、既存の取り付け方法を用いれば良い。
【００１８】
注ぎ口２の外側には、ねじきりの凹凸が設けられ、上蓋１が取り付けられるようになっている。上蓋１の内側には、注ぎ口２の外縁部２０に設けられたねじきりに嵌合可能な、ねじきりの凹凸が設けられている。
【００１９】
上蓋１は、注ぎ口２に着脱可能な蓋である。上蓋は、実施の形態１では、浅い器形状の上蓋としているが、コップ形状として、上蓋１を取り外して、コップとしても使えるようにしても良い。上蓋１を、コップ兼用とする場合は、深さのある形状として、上蓋１の側面の一部に取っ手を設けると良い。
【００２０】
図２に示すように、中栓３は、平面視、円形状であって、外側にリング形状のリング部３３を有し、リング部３３の内側には、中心からリング部３３に向かって四方向に橋を渡すようにストッパー部３２が設けられ、ストッパー部３２とリング部３３との間は、孔になっており、４つの開口３１となっている。開口３１の孔の大きさは、ストローの直径より少し大きめとなっている。開口３１には、市販のストローを挿通できる。ストッパー部３２は、実施の形態１では、即縁が曲線を描いている十字形状の橋となっている。ストッパー部３２の形状は、直線状の十字形状の橋としても良いし、また、「米」の字形状に、中心から放射状に橋を設けた形状としても良い。橋で区切られた１区画の孔は、ストローを挿通できる大きさを少なくとも有する孔とするのが良い。
【００２１】
図３のように、飲料ボトル１００に使用するストローＳは、市販の使い捨てストローで、かつ、蛇腹つきのものを挿通すると便利である。飲料を飲む際は、ストローの下半分だけ開口３１に挿通し、飲まない場合は、ストローＳの上半分を、下半分が挿通している開口３１とは別の開口３１に挿通させれば、ストローＳを中栓３に引っ掛けて保持しておくことができ、ストローＳが飲料の中に沈み込んでしまうことを予防できるからである。また、ストローＳを中栓３に保持したまま、上蓋１を閉じて、飲料ボトル１００の中にストローＳを保持したまま持ち運びできるので、ストローＳを外に出して、なくしてしまったり、汚してしまったりすることがなく便利である。
【００２２】
図４のように、飲料ボトル１００は、飲料をボトル４に充填した状態で、中栓３にストローＳを挿し、上蓋１を閉じて運搬できるので、ストローＳを別に運ばなければいけない他の水筒のような煩わしさがない。また、飲料の残量が少なくなったら、使い捨てストローＳは捨てて、飲料ボトル１００の注ぎ口２に直接口をつけて、飲料を飲めば良いので、手軽である。
【００２３】
また、飲料ボトル１００は、ボトル４に冷たい飲料と一緒に氷を入れて使用することもできる。じか飲みする場合に、一般的な開口の大きな、じか飲みボトルは、氷も一緒に口に流れてきて、飲むときの邪魔になるが、飲料ボトル１００は、ストッパー部３２が設けられているので、大きな直径の氷は、開口３１を通過することができず、冷たい飲料だけ口に流れ込んでくるので、飲みやすい。
【００２４】
図５（ａ）に示すように、飲料ボトル１００は、市販の使い捨てストローを挿して、片手で、気軽に飲料を飲むことができる。ストローがうっかり口から離れても、中栓３のストッパー部にストローＳの蛇腹部分がひっかかるので、飲料の中に、ストローＳが沈み込んでしまうことがない。歩きながら、また、片手で他の仕事を行いながら、場所や時を選ばず、水分補給ができて便利である。
また、図５（ｂ）に示すように、飲料ボトル１００は、注ぎ口２に、直接口をつけて飲むこともできる。飲料の残量が少なくなった場合、市販のストローは外して捨てて、残った飲料は、じか飲みで飲むことができる。
【００２５】
暑い夏の日には、飲料ボトルの中に、飲料と一緒に氷を入れておくと、いつでも、冷えた飲料を補給できて、脱水症や熱中症を予防することができる。中栓３にストッパー部３２が設けられているので、氷はストッパー部３２で堰き止められ、飲料だけが口の中に入ってくるので、氷が邪魔にならず、飲みやすい。
【００２６】
（変形例１）
この考案の飲料ボトル１００の中栓３を中栓５のような形状のものに替えて使用しても良い。中栓５は、円形状のストッパー部５２を有し、ストッパー部５２の外周は一段高くなっていて外縁部５０となっている。また、ストッパー部５２には、略長方形状の開口５１が設けられている。開口５１は、ストローＳを挿通する十分な径を備え、大きな氷は堰き止めることができる。開口５１の数は２〜３個にしても良いし、４個以上にしても良い。また、ストッパー部５２全体を目の粗いメッシュ状として、メッシュの間にストローを挿通できるようにしても良い。
【符号の説明】
【００２７】
１００    飲料ボトル
１      上蓋
１０  外縁部
２      注ぎ口
２０    外縁部
３      中栓
３０    外縁部
３１    開口
３２    ストッパー部
３３    リング部
４      ボトル
４０    開口部
５      中栓
５０    外縁部
５１    開口
５２    ストッパー部
Ｓ    ストロー
【図１】
0003201645.tif 000003
【図２】
0003201645.tif 000004
【図３】
0003201645.tif 000005
【図４】
0003201645.tif 000006
【図５】
0003201645.tif 000007
【図６】
0003201645.tif 000008